(57)【要約】【課題】  コストアップせずに、ＬＥＤ光源の各ＬＥＤ素子の色度バラツキによる主走査方向の色ムラを低減できるようにする。【解決手段】  複数のＬＥＤ素子が主走査方向に直線状に配置されたＬＥＤ光源２′からの照射光を、集光レンズ６１を用いて原稿Ｐの下面に向けて集光させると共に、複数の各ミラー６，５，３を用いて反射させ、原稿Ｐの下面に照射させる。【選択図】        図２
2013005197.tif 000002
【特許請求の範囲】
【請求項１】
光源から原稿面に光を照射し、その反射光を複数のミラーを用いて反射させた後に結像レンズを通して光電変換素子上に結像させ、該光電変換素子により画像信号に変換することにより、前記原稿の画像読み取りを行う画像読取装置であって、
前記光源は、複数の発光ダイオードが主走査方向に直線状に配置されたＬＥＤ光源からなり、該ＬＥＤ光源からの照射光を、集光レンズを用いて前記原稿面に向けて集光させると共に、前記複数のミラーを用いて反射させ、前記原稿面に照射させることを特徴とする画像読取装置。
【請求項２】
前記集光レンズは、前記ＬＥＤ光源からの照射光の前記主走査方向に直交する副走査方向のみを集光させることを特徴とする請求項１に記載の画像読取装置。
【請求項３】
前記ＬＥＤ光源からの照射光を前記原稿面の近くで拡散させる拡散手段を設けたことを特徴とする請求項１又は２に記載の画像読取装置。
【請求項４】
前記ＬＥＤ光源および前記集光レンズは、前記光電変換素子の近くに配置されていることを特徴とする請求項１乃至３のいずれか一項に記載の画像読取装置。
【請求項５】
前記ＬＥＤ光源および前記集光レンズは、複数配置されていることを特徴とする請求項１乃至３のいずれか一項に記載の画像読取装置。
【請求項６】
前記ＬＥＤ光源および前記集光レンズは、前記光電変換素子から前記原稿面までの光路の途中に配置されていることを特徴とする請求項１乃至３のいずれか一項に記載の画像読取装置。
【請求項７】
前記請求項１乃至６のいずれか一項に記載の画像読取装置を備え、該画像読取装置からの画像信号に基づいて画像形成処理を行うことを特徴とする画像形成装置。
【発明の詳細な説明】
【技術分野】
【０００１】
この発明は、ＬＥＤ光源を用いたスキャナ等の画像読取装置（デジタル複写機やデジタル複合機，ファクシミリ装置等の画像形成装置に搭載された画像読取部あるいは単体の画像読取装置）、およびその画像読取装置を搭載した画像形成装置に関する。
【背景技術】
【０００２】
画像読取装置としては、図示しない光源から原稿面に対して光を照射し、走行体が副走査方向に移動しながら、原稿面からの反射光（「反射光像」ともいう）を複数のレンズ経由で光電変換素子であるＣＣＤラインセンサ（以下単に「ＣＣＤ」と略称する）上に結像させ、このＣＣＤにおいて光電変換によりアナログ画像信号（単に「画像信号」ともいう）に変換することで、原稿の画像を読み取るようにしたものがある。
【０００３】
このような画像読取装置の動作および従来の問題点について、図９〜図１５を参照して具体的に説明する。
図９は従来の画像読取装置の縮小光学系（ＣＣＤ方式）を上面側と正面側から見た場合の概略構成例を示す図、図１０はその縮小光学系のうちの原稿の画像読み取りに関わる部分を正面側から見た場合の概略構成例を示す図である。
【０００４】
この画像読取装置は、スキャナであり、図９，図１０に示すように、原稿Ｐを載置する原稿ガラスであるコンタクトガラス１と、原稿Ｐの下面（原稿面）に光を照射するための光源２および第１ミラー３を有する第１走行体（第一キャリッジ）４と、第２ミラー５および第３ミラー６を有する第２走行体（第２キャリッジ）７とを備えている。更に、ＣＣＤ８と、原稿Ｐの下面からの反射光をＣＣＤ８の受光面に結像させるための結像レンズ９と、シェーディング補正を行うための基準白板１０と、第１走行体４をホームポジション位置（ＨＰ）で検知するためのホームポジションセンサ１１も備えた縮小光学系によって構成されている。
【０００５】
ＣＣＤ８は、センサボードユニット２０上に設けられている。このセンサボードユニット２０は、出力するデジタル画像信号に対して所定の画像処理を施す制御部３０（図１１）と、図示しない信号ケーブルによって接続されている。
光源２、第１，第２，第３ミラー３，５，６、および結像レンズ９は、走査光学系を構成する。なお、走査光学系としては、相対的なものであり、ミラー等が固定で原稿側が移動するタイプであってもよい。
【０００６】
光源２は、基準白板１０やコンタクトガラス１上の原稿領域に載置された原稿Ｐの下面に対して、所定角度で光を照射する。それによって、基準白板１０又は原稿Ｐの下面で反射された光は、第１，第２，第３ミラー３，５，６で順次反射され、結像レンズ９にてＣＣＤ８の受光面に結像される。
第１，第２走行体４，７は、図示しないステッピングモータ又はサーボモータ等のモータの駆動により、原稿Ｐの下面とＣＣＤ８との間の距離を一定に保ちながら副走査方向（ここでは図９のスキャン方向に相当する）に移動し、原稿Ｐの下面をスキャン（露光走査）する。
【０００７】
第１走行体４の第１ミラー３は、光源２の光照射による原稿Ｐの下面からの反射光を図１０から見て９０度反射させるように配置されている。
第２走行体７の第２，第３ミラー５，６は、第１ミラー３からの反射光を図１０から見て結像レンズ９の方向に１８０度反射させるように配置されている。
そして、第２走行体７の移動速度を第１走行体４の半分の速度で移動させることで、原稿Ｐの下面からの光学的な距離が常に一定となり、結像レンズ９およびＣＣＤ８の位置が固定の状態でＣＣＤ８の受光面に、原稿Ｐからの反射光を結像させることができる。
【０００８】
図１１は、図９，図１０に示した従来の画像読取装置の制御系のハードウェア構成例を示すブロック図である。
この画像読取装置は、図１１に示すように、センサボードユニット２０と制御部３０とを備えている。
センサボードユニット２０は、ＣＣＤ８、タイミングジェネレータ（ＴＧ：Timing Generator）２１、発振器（ＯＳＣ）２２、およびアナログ信号処理手段であるアナログ信号処理部（ＡＦＥ:Analog Front End）２３を備えている。
【０００９】
タイミングジェネレータ２１は、制御部３０のＣＰＵ３５からの制御信号により、発振器２２からの基準クロックに基づいてＣＣＤ８およびＡＦＥ２３に必要な駆動信号を生成し、ＣＣＤ８およびＡＦＥ２３へそれぞれ出力する。
発振器２２は、基準クロックを生成してタイミングジェネレータ２１へ出力する。
ＣＣＤ８は、タイミングジェネレータ２１から入力される駆動信号によって駆動し、原稿Ｐの下面からの反射光を光電変換によりアナログ画像信号に変換して、ＡＦＥ２３に入力する。
【００１０】
ＡＦＥ２３は、増幅回路（ＰＧＡ：Programmable Gain Amplifier）２４と、Ａ／Ｄ変換回路２５と、ＬＶＤＳ（低電圧作動信号方式：Low Voltage differential Signal）トランスミッタ２６とを備え、入力されるアナログ画像信号に対して、アナログ信号処理、つまり増幅処理、Ａ（アナログ）／Ｄ（デジタル）変換処理、および送信処理を行うＡＳＩＣ（Application Specific Integrated Circuit）である。
【００１１】
ＡＦＥ２３では、入力されるアナログ画像信号に対して、増幅回路２４が所定のゲインで増幅処理を行った後、Ａ／Ｄ変換回路２５がＡ／Ｄ変換処理を行ってデジタル画像信号に変換する。増幅回路２４のゲインは、光源２の部品ばらつき、ＣＣＤ８の感度ばらつきなどを吸収するためにプログラマブルに可変可能に設定できるものであり、後述する基準白レベル（基準白板１０の濃度レベル）を読み取った場合に、一定のデジタル出力となるように電源オン時もしくは原稿の画像読み取り（デジタル画像信号の出力）毎にゲイン調整を行い、設定値を決定する。
【００１２】
ＬＶＤＳトランスミッタ２６は、Ａ／Ｄ変換回路２５からのパラレルのデジタル画像信号をシリアルのデジタル画像信号に変換して、制御部３０へシリアル送信する。
制御部３０は、ＬＶＤＳレシーバ３１と、画像処理ブロック３２内のシェーディング補正部３３および画像処理部３４と、ＣＰＵ３５とを備え、それらによってデジタル信号処理手段としての機能を果すことができる。
ＬＶＤＳレシーバ３１は、センサボードユニット２０のＡＦＥ２３からのシリアルのデジタル画像信号を受信して、パラレルのデジタル画像信号に変換し、画像処理ブロック３２へ出力する。
【００１３】
画像処理ブロック３２は、ＬＶＤＳレシーバ３１からのデジタル画像信号に対してデジタル信号処理（演算処理）を行う。つまり、シェーディング補正部３３がＬＶＤＳレシーバ３１からのデジタル画像信号に対してシェーディング補正を行い、画像処理部３４がシェーディング補正部３３からのデジタル画像信号に対してシェーディング補正以外の画像処理を行う。
ＣＰＵ３５は、センサボードユニット２０内のタイミングジェネレータ２１と相互に通信可能に接続し、装置全体を制御する。
【００１４】
ここで、画像処理における一般的な処理の一つとして、シェーディング補正を実施するようにしている。シェーディング補正は、主にレンズの光学的な特性により、原稿面の読み取り領域の主走査画素（副走査方向に直交する主走査方向の画素）の端部からの反射光の光量が落ち込み、例えば図１２の（ａ）に示すように、その端部の読取レベル、つまりその端部からの反射光に対応するデジタル画素信号（原稿の画像読み取り時に入力されるデジタル画像信号の一部）が示す濃度レベルが低下するため、それを補正するための補正処理である。
【００１５】
シェーディング補正部３３は、画素毎に基準白板１０の読み取りデータ（基準白板１０の読み取り時に入力されるデジタル画像信号）を図示しない内部メモリに保持しておき、このデータを用いて各画素毎の通常の読み取りデータ（原稿Ｐの画像読み取り時に入力されるデジタル画像信号）に対し、正規化処理を行うことで、例えば図１２の（ｂ）に示すように、上記主走査画素の読取レベルの分布をフラットに補正する。
【００１６】
また、光源２、結像レンズ９、ＣＣＤ８などの光学的な特性バラツキを補正するための処理の一つとして、グレーバランス補正も実施するようにしている。
これは、基準原稿の読取レベル、つまり基準原稿の画像読み取り時に入力されるＲ，Ｇ，Ｂの各色毎のデジタル画像信号の濃度レベルが狙いの値となるように、Ｒ，Ｇ，Ｂの各色毎に補正係数を乗算する処理である。補正係数は、調整用の原稿を読み取ったデータと狙いの値とのズレ量から算出し、設定する。「Ｒ」はレッド（Ｒｅｄ）を、「Ｇ」はグリーン（Ｇｒｅｅｎ）を、「Ｂ」はブルー（Ｂｌｕｅ）をそれぞれ示す。
【００１７】
このようなカラー画像を読み取る画像読取装置の光源２として、従来はハロゲンランプやキセノンランプといった光源が用いられてきた。しかし、近年、高効率な光源として、例えば図１３に示すように、複数の発光ダイオード（以下「ＬＥＤ素子」ともいう）５１が直線状に配列されたＬＥＤ光源２′が用いられ始めている。
一般的に、ＬＥＤ光源は原稿面に近い位置に配置され、その原稿面に光を照射する。この場合、例えば図１４に示すように、一つのＬＥＤ素子５１による原稿Ｐの下面での光照射範囲は狭く、ＬＥＤ素子５１の特性一つである色度（色味）のバラツキがある。そのため、原稿Ｐの下面が一様な色であっても、例えば図１５に示すように、その原稿Ｐの下面のＲ，Ｇ，Ｂ毎の読取レベルのうち、特にＢ（ブルー）の読取レベルに大きな色ムラが発生してしまうといった問題がある。
【００１８】
色ムラ解消のための対策としては、以下の（１）又は（２）に示す対策を実行することが挙げられる。
（１）一般的には同じ色度（色味）のＬＥＤ素子のみを選別して使用する。
（２）ＬＥＤ素子の特性の一つで、ＬＥＤ素子の動作電流に応じて色味の変化が発生する特性に着目し、その動作電流を調整して色味を補正する（例えば特許文献１参照）。
【発明の概要】
【発明が解決しようとする課題】
【００１９】
しかしながら、上記（１）に示した対策では、ＬＥＤ素子の選別コストが発生し、部品としてのコストが高くなってしまうという問題がある。
また、上記（２）に示した対策では、各ＬＥＤ素子の電流量を調整する調整回路が必要となるため、その調整回路が複雑になることと、調整回路分のコストアップが発生してしまうことが懸念される。また、この対策でも、ある程度、色度に関しての選別が必要となる。
【００２０】
この発明は、上記の点に鑑みてなされたものであり、ＬＥＤ光源のＬＥＤ素子に色度バラツキがある場合でも、コストアップせずに、その色度バラツキによる主走査方向の色ムラを低減できるようにすることを目的とする。
【課題を解決するための手段】
【００２１】
この発明は、光源から原稿面に光を照射し、その反射光を複数のミラーを用いて反射させた後に結像レンズを通して光電変換素子上に結像させ、その光電変換素子により画像信号に変換することにより、上記原稿の画像読み取りを行う画像読取装置であって、上記の目的を達成するため、上記光源を、複数の発光ダイオードが主走査方向に直線状に配置されたＬＥＤ光源によって構成し、そのＬＥＤ光源からの照射光を、集光レンズを用いて上記原稿面に向けて集光させると共に、上記複数のミラーを用いて反射させ、上記原稿面に照射させるものである。
【発明の効果】
【００２２】
この発明によれば、画像読取装置が、複数の発光ダイオード（ＬＥＤ素子）が主走査方向に直線状に配置されたＬＥＤ光源からの照射光を、集光レンズを用いて原稿面に向けて集光させると共に、上記複数のミラーを用いて反射させ、原稿面に照射させる。それにより、原稿面とＬＥＤ光源との間に光学的な距離をとり、各発光ダイオードからの照射光の原稿面での照射範囲を広くとってオーバラップさせ、色を混色させて照明することになる。そのため、各ＬＥＤ素子に色度バラツキがある場合でも、コストアップせずに、その色度バラツキによる主走査方向の色ムラを低減することができる。
【図面の簡単な説明】
【００２３】
【図１】この発明の一実施形態の概略の説明に供する説明図である。
【図２】この発明の第１実施形態である画像読取装置の縮小光学系のうちの原稿の画像読み取りに関わる部分を正面側から見た場合の概略構成例を示す正面図である。
【図３】その原稿の画像読み取りに関わる部分を上面側から見た場合の概略構成例を示す上面図である。
【図４】集光レンズ６１の説明に供する説明図である。
【図５】この発明の第２実施形態である画像読取装置の縮小光学系のうちの原稿の画像読み取りに関わる部分を上面側から見た場合の概略構成例を示す上面図である。
【００２４】
【図６】この発明の第３実施形態である画像読取装置の縮小光学系のうちの原稿の画像読み取りに関わる部分を正面側から見た場合の概略構成例を示す正面図である。
【図７】この発明の第４実施形態である画像読取装置の縮小光学系のうちの原稿の画像読み取りに関わる部分を正面側から見た場合の概略構成例を示す正面図である。
【図８】図２，図３に示した画像読取装置を備えた画像形成装置の構成例を示す概略図である。
【図９】従来の画像読取装置の縮小光学系を上面側と正面側から見た場合の概略構成例を示す図である。
【図１０】その縮小光学系のうちの原稿の画像読み取りに関わる部分を正面側から見た場合の概略構成例を示す図である。
【００２５】
【図１１】図９，図１０に示した従来の画像読取装置の制御系のハードウェア構成例を示すブロック図である。
【図１２】図１１のシェーディング補正部３３によるシェーディング補正の説明に供する線図である。
【図１３】ＬＥＤ光源の構成例を示す図である。
【図１４】図１３のＬＥＤ素子５１による原稿面での光照射範囲の説明に供する説明図である。
【図１５】図１４のＬＥＤ素子５１による問題点を説明するための説明図である。
【発明を実施するための形態】
【００２６】
以下、この発明を実施するための形態について説明する。
まず、この発明の第１実施形態の概略を図１に基づいて説明する。
図１は、その概要の説明に供する説明図であり、図１３，図１４と対応する部分には同一符号を付している。
【００２７】
この実施形態では、複数のＬＥＤ素子が主走査方向に直線状に配置されたＬＥＤ光源が、一般的に原稿面に比較的近い距離で配置されていることにより、一つのＬＥＤ素子による原稿面での光照射範囲が狭くなり、色ムラが発生してしまう点に着目し、これを改善するものである。例えば、図１に示すように、原稿Ｐの下面とＬＥＤ光源２′との間に光学的な距離をとり、一つのＬＥＤ素子５１による原稿Ｐの下面での光照射範囲を広くする。それによって、隣接する他のＬＥＤ素子５１による原稿Ｐの下面での光照射範囲とオーバラップさせ、色を混色させて照明することにより、ＬＥＤ光源２′の色度バラツキによる主走査方向の色ムラを低減させる。
【００２８】
以下、上述の特徴について、図２〜図７，図１３に基づいて具体的に説明する。
図２はこの発明の第１実施形態である画像読取装置の縮小光学系のうちの原稿の画像読み取りに関わる部分を正面側から見た場合の概略構成例を示す正面図、図３はその原稿の画像読み取りに関わる部分を上面側から見た場合の概略構成例を示す上面図であり、図１，図９〜図１１と同じ部分には同一符号を付している。なお、図示の都合上、基準白板は図２，図３の両方で図示を省略している。また、この実施形態の画像読取装置の制御系のハードウェア構成は、図１１によって説明したものと略同様（ＬＥＤ光源以外は同様）である。
【００２９】
この実施形態である画像読取装置では、図２，図３に示すように、ＣＣＤ８の近傍且つその上側に、複数のＬＥＤ素子５１が主走査方向（図３での上下方向）に直線状に配置されたＬＥＤ光源２′を配置している。なお、この例では、ＬＥＤ光源２′のＬＥＤ素子５１を４個としているが、この発明はその個数に限らない。また、ＬＥＤ光源２′をＣＣＤ８の下側に配置してもよい。
【００３０】
ＬＥＤ光源２′は、図１１のタイミングジェネレータ（ＴＧ）２１からの駆動信号によって駆動し、光照射を行う。ＬＥＤ光源２′からの照射光は、集光レンズ６１を用い、主走査方向に直交する副走査方向（ここでは図２に矢示付き実線で示す光学的な経路である光路の方向に相当する）に関して原稿Ｐの下面に向けて集光させる。
【００３１】
集光レンズ６１は、例えば図４に示すように、ＬＥＤ光源２′の各ＬＥＤ素子５１からの照射光を、副走査方向にのみ集光し、主走査方向には集光しないレンズである。
集光レンズ６１から原稿Ｐの下面までは光学的に距離があるので、集光レンズ６１から出力される照射光は、副走査方向に関しては略平行光になる。
また、ＬＥＤ光源２′−集光レンズ６１間において、ＣＣＤ８の受光面および結像レンズ９に直接光が入らないように、図２に示すように遮光板６２を設置する。
【００３２】
集光レンズ６１を通った照射光は、第３ミラー６、第２ミラー５、第１ミラー３の順に反射させ、原稿Ｐの下面へ照射させる。その照射光は、副走査方向に関して平行光であるので、図２に示すように、第１走行体４に拡散手段である拡散透過板６３を配置する。それによって、第１ミラー３から原稿Ｐの下面へ向かう照射光は、拡散透過板６３で原稿Ｐの下面に対して拡散され、原稿Ｐの下面に照射されるため、その下面からの反射光を最終的にＣＣＤ８の受光面に結像させることができる。
【００３３】
ＬＥＤ光源２′から原稿Ｐの下面までの光路は、原稿Ｐの下面からＣＣＤ８の受光面までの光路に対して、副走査方向に少し偏った光路とすることで、ＬＥＤ光源２′からの照射光がＣＣＤ８での結像に影響を及ぼさない光学的構成となる。
この実施形態で用いた集光レンズ６１は、主走査方向に関しては集光しないものなので、ＬＥＤ光源２′から照射される光は、光学的な距離をとったことで、原稿Ｐの下面で主走査方向により広い範囲を照射することになる。
【００３４】
このように、この実施形態の画像読取装置によれば、複数のＬＥＤ素子５１が主走査方向に直線状に配置されたＬＥＤ光源２′からの照射光を、集光レンズ６１を用いて原稿Ｐの下面に向けて集光させると共に、複数の各ミラー６，５，３（原稿Ｐの下面からの照射光をＣＣＤ８の受光面に結像させるために使用するミラー）を用いて反射させ、原稿Ｐの下面に照射させる。それにより、原稿Ｐの下面とＬＥＤ光源２′との間に光学的な距離をとり、各ＬＥＤ素子５１からの照射光の原稿Ｐの下面での照射範囲を広くとってオーバラップさせ（重ね合わせ）、色を混色させて照明することになるので、各ＬＥＤ素子５１に色度バラツキがある場合でも、その色度バラツキによる主走査方向の色ムラを低減することができる。
【００３５】
さらに、以下の（ａ）〜（ｃ）に示す効果を得ることもできる。
（ａ）ＬＥＤ素子５１の個数を減らすことができるため、省電力化にもつながる。
（ｂ）ＬＥＤ素子５１の個数を減らすだけでなく、色度選別する各ランクの範囲を広くかつ分割数を少なくすることが可能となるので、より低コスト化を狙うことができる。
（ｃ）ＬＥＤ素子５１は、キセノンランプのように昇圧回路等々必要とせず、ＤＣ（直流）電圧および電流にて点灯することが可能であるため、センサボードユニット（ＣＣＤ実装基板）と同じボードユニットとすることも可能となり、ボードユニットの低減にもつながる。こうすることで、可動部分にボードユニットを搭載せずに済むので、物理的な故障低減にもつながる。
【００３６】
また、集光レンズ６１が、ＬＥＤ光源２′からの照射光の副走査方向のみを集光させることにより、主走査方向の照射範囲は広くとり、副走査方向の照射範囲を狭くして光量を稼ぐことができる。
さらに、ＬＥＤ光源からの照射光（副走査方向に平行光とした照射光）を原稿Ｐの下面の近くで拡散透過板６３によって拡散させることにより、スキャンライン上の原稿Ｐからの反射光を得ることができる。
【００３７】
さらにまた、ＬＥＤ光源２′および集光レンズ６１をＣＣＤ８の近くに配置することにより、ＬＥＤ光源２′からの照射光を、各ミラー６，５，３を用いて原稿Ｐの下面に確実に照射させることができる。
また、ＬＥＤ光源２′および集光レンズ６１の主走査方向（図３での上下方向）の配置に関しては、原稿Ｐの下面からの光学距離を確保できる範囲でＬＥＤ光源２′および集光レンズ６１を主走査方向に分割して配置することも可能である。例えば、ＣＣＤ８の主走査方向の両端側に分割し、例えば図５に示すように、ＬＥＤ光源２ａ′，２ｂ′および集光レンズ６１ａ，６１ｂとして分割配置しても、分割配置しない場合と同等の効果を得られる。
【００３８】
さらに、ＬＥＤ光源２′および集光レンズ６１の上下方向の配置に関しては、図２に示した構成によるＣＣＤ８の上側だけでなく、下側にＬＥＤ光源２′および集光レンズ６１を配置しても、上側に配置した場合と同様の効果を得られる。また、例えば図６に示すように、ＣＣＤ８の上下両側にＬＥＤ光源２′および集光レンズ６１を配置する（つまり複数配置する）ことで、より多くの光量を得ることが可能となる。
【００３９】
以上、この発明をＣＣＤおよびレンズの位置が固定となる縮小光学系を備えた画像読取装置に適用した実施形態について説明したが、この発明はこれに限らず、走行体に各ミラーおよびＣＣＤを一体とした縮小光学系を備えた画像読取装置にも適用可能であり、上述と同等の効果を得ることが可能である。こちらの構成の場合、各ミラーの位置は、光学的に固定であるので、ＬＥＤ光源２′および集光レンズ６１をＣＣＤ８から原稿Ｐの下面までの光路の途中に配置が可能となる。
【００４０】
例えば、図７に示す縮小光学系は、１つの走行体７０に、４枚のミラーである第１，第２，第３，第４ミラー７１，７２，７３，７４、作像レンズ７５、ＣＣＤ７６、ＬＥＤ光源７７、集光レンズ７８、および拡散透過板７９を搭載した一体型の縮小光学系である。
この縮小光学系では、第１，第２，第３，第４ミラー７１，７２，７３，７４および作像レンズ７５にて原稿Ｐの下面からの反射光をＣＣＤ７６の受光面に結像しているが、その光路の途中にＬＥＤ光源７７および集光レンズ７８を配置している。なお、第４ミラー７４の主走査方向の両側に、ＬＥＤ光源７７および集光レンズ７８を配置してもよい。
【００４１】
以上の各実施形態の画像読取装置によれば、ＬＥＤ光源の色度バラツキに起因する色ムラを低減することが可能となる。
また、各実施形態の画像読取装置をそれぞれ備えた画像形成装置においては、ＬＥＤ光源の色度バラツキに起因する色ムラを低減した画像を形成することが可能となり、高品質画像を得ることができる。
【００４２】
図８は、図２，図３に示した画像読取装置を備えた画像形成装置の構成例を示す概略図であり、図１〜図４，図９〜図１１と同じ部分には同一符号を付している。
この画像形成装置２００は、図２，図３に示した画像読取装置（スキャナ）１００とプリンタ１２０とを備えている。
【００４３】
画像読取装置１００は、図８に示すように、前述したＬＥＤ光源２′、ＣＣＤ８、タイミングジェネレータ（ＴＧ）２１、およびアナログ信号処理部（ＡＦＥ）２３を有するセンサボードユニット２０と、ＬＶＤＳレシーバ３１、画像処理ブロック３２、およびＣＰＵ３５を有する制御部３０とを備えている。そして、ＡＦＥ２３内のＬＶＤＳトランスミッタ２６が、Ａ／Ｄ変換回路２５からパラレル１０ビットのデジタル画像信号が入力されると、それを制御部３０内のＬＶＤＳレシーバ３１へシリアル送信する。
【００４４】
制御部３０は、ＬＶＤＳレシーバ３１とＬＶＤＳトランスミッタ２６とによりセンサボードユニット２０と通信可能に接続されている。また、インタフェース（Ｉ／Ｆ）１２３によりプリンタ１２０内のプリンタエンジン１２１と通信可能に接続されている。
制御部３０内のＬＶＤＳレシーバ３１は、センサボードユニット２０内のＬＶＤＳトランスミッタ２６からシリアル送信されたデジタル画像信号を受信すると、そのデジタル画像信号をパラレル１０ビットのデジタル画像信号に変換し、画像処理ブロック３２に入力する。
【００４５】
画像処理ブロック３２は、ＬＶＤＳレシーバ３１からパラレル１０ビットのデジタル画像信号が入力されると、そのデジタル画像信号に対して前述した各画像処理を行った後、そのデジタル画像信号をＩ／Ｆ１２３によりプリンタ１２０内のプリンタエンジン１２１へ出力して、用紙等のシート上に印刷（画像形成）を行わせる。
ＣＰＵ３５は、画像読取装置１００だけでなく、プリンタエンジン１２１の制御も行う。つまり、画像形成装置２００全体を制御する。
【００４６】
なお、制御部３０は、プリンタ１２０側に備えてもよい。あるいは、画像読取装置１００とプリンタ１２０との間に備えてもよい。
また、この発明は上述した実施形態に限定されるものではなく、特許請求の範囲に記載された技術思想に含まれる技術的事項の全てが対象となることは言うまでもない。
【符号の説明】
【００４７】
１：コンタクトガラス    ２′，２ａ′，２ｂ′，７７：ＬＥＤ光源
３，７１：第１ミラー    ４：第１走行体    ５，７２：第２ミラー
６，７３：第３ミラー    ７：第２走行体    ８，７６：ＣＣＤ
９，７５：結像レンズ    ２０：センサボードユニット
２１：タイミングジェネレータ    ２３：アナログ信号処理部（ＡＦＥ）
２４：増幅回路（ＰＧＡ）    ２５：Ａ／Ｄ変換回路    ２６：ＬＶＤＳトランスミッタ
３０：制御部    ３１：ＬＶＤＳレシーバ    ３２：画像処理ブロック
３３：シェーディング補正部    ３４：画像処理部    ３５：ＣＰＵ
５１：発光ダイオード（ＬＥＤ素子）    ６１，６１ａ，６１ｂ，７８：集光レンズ
６２：遮光板    ６３，７９：拡散透過板    ７０：走行体    ７４：第４ミラー
１００：画像読取装置    １２０：プリンタ    １２１：プリンタエンジン
【先行技術文献】
【特許文献】
【００４８】
【特許文献１】特開２００８−１７２３２７号公報
【図１】
2013005197.tif 000003
【図２】
2013005197.tif 000004
【図３】
2013005197.tif 000005
【図４】
2013005197.tif 000006
【図５】
2013005197.tif 000007
【図６】
2013005197.tif 000008
【図７】
2013005197.tif 000009
【図８】
2013005197.tif 000010
【図９】
2013005197.tif 000011
【図１０】
2013005197.tif 000012
【図１１】
2013005197.tif 000013
【図１２】
2013005197.tif 000014
【図１３】
2013005197.tif 000015
【図１４】
2013005197.tif 000016
【図１５】
2013005197.tif 000017